【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
長尺電気手術用器具であって、
電気手術用発電機から供給された電気エネルギーを手術部位に印加することにより、手術中に患者の組織を少なくとも切断するための電極と、
第１端と、その反対側の第２端とを有した長尺本体を備え、前記第１端は電極が突出する第１開口を有し、前記第２端は前記電気手術用発電機及び真空源に電気的に接続されるように形成され、前記長尺本体は、吸気チャネルと、前記吸気チャネルを有する流体が連通する第１吸引ポートと、前記長尺本体の第２端に対向する前記真空源に連通する吸引チューブと連結するための第２吸引ポートとを定義し、
前記長尺本体の第１端に接続して形成する着脱式吸引先端部を備え、前記着脱式吸引先端部は吸引開口の反対側に連結用端部を有し、前記連結用端部は前記長尺本体に設けられた第１係合メカニズムを有し、
前記長尺本体はさらに、前記着脱式吸引先端部が前記長尺本体に接続するときに、前記第１係合メカニズムが前記第２係合メカニズムに係合するように形成された前記長尺本体の第１端に備える第２係合メカニズムを含み、前記着脱式吸引先端部は前記第１吸気ポート上に位置し、
前記第１係合メカニズム及び前記第２係合メカニズムは前記電極に関連する前記着脱式吸引先端部の軸方向位置が前記着脱式吸引先端部の長手方向の軸（Ａ）について及び／又は前記軸（Ａ）に沿った前記着脱式吸引先端部の動きに関連して調整可能となるように形成される長尺電気手術用器具。
【請求項２】
前記第２係合メカニズムは、前記第１吸引ポートの近位側で前記長尺本体の第１端に設けられている請求項１に記載の電気手術用器具。
【請求項３】
前記第２係合メカニズムは外ねじか、少なくとも１つのビードか、突起である請求項１に記載の電気手術用器具。
【請求項４】
前記第１吸引ポートは前記第２係合メカニズムの遠位側かつ前記長尺本体の第１開口の近位側に位置している請求項１に記載の電気手術用器具。
【請求項５】
前記第１吸引ポートは、前記長尺本体の第１開口よりも前記第２係合メカニズムに近接して設けられている請求項１に記載の電気手術用器具。
【請求項６】
前記第２係合メカニズムは、前記連結用端部の軸方向の長さの少なくとも半分に相当する軸方向の長さを有する請求項１に記載の電気手術用器具。
【請求項７】
前記第１係合メカニズムは、前記連結用端部の周方向連結壁の内側に設けられると共に、前記連結用端部の穴の内部に突出している請求項１に記載の電気手術用器具。
【請求項８】
前記第１係合メカニズムは、
内ねじ、少なくとも１つの環状ビード、１又は２以上の互いに離間した係合要素、又はこれらのいずれかの組み合わせ、で構成される群から選ばれる請求項１に記載の電気手術用器具。
【請求項９】
前記第１係合メカニズムは前記第２係合メカニズムに係合して形成されている請求項１に記載の電気手術用器具。
【請求項１０】
前記第１係合メカニズムと前記第２係合メカニズムとの係合は、触覚及び／又は聴覚で感知できる請求項１に記載の電気手術用器具。
【請求項１１】
前記着脱式吸引先端部の連結用端部は、前記吸引開口を含む吸引端部内へと延びている請求項１に記載の電気手術用器具。
【請求項１２】
前記吸引端部の少なくとも１部分は前記吸引開口に向かってテーパ状になっている請求項１１に記載の電気手術用器具。
【請求項１３】
前記着脱式吸引先端部の吸引端部は、管状で非テーパ状の口を有する請求項１１に記載の電気手術用器具。
【請求項１４】
前記着脱式吸引先端部の吸引開口はフレア状のスカート部を有する請求項１に記載の電気手術用器具。
【請求項１５】
前記長尺本体は、前記着脱式吸引先端部が自身を越えて前記長尺本体の第２端の方へと移動するのを止めるためのストップ部材を有する請求項１に記載の電気手術用器具。
【請求項１６】
前記着脱式吸引先端部は前記長尺本体の第１端に着脱可能に設けられている請求項１に記載の電気手術用器具。
【請求項１７】
前記吸引端部の少なくとも先端部は透明である請求項１に記載の電気手術用器具。
【請求項１８】
前記吸引端部の全体が透明である請求項１に記載の電気手術用器具。
【請求項１９】
前記着脱式吸引先端部は外側触覚部材を有する請求項１に記載の電気手術用器具。
【請求項２０】
電気手術用器具に装着できるようになっている着脱式吸引先端部であって、前記電気手術用器具は第１端と電極とを持つ長尺本体と前記長尺本体の第１端に設けた第２係合メカニズムとを有し、連結用端部の反対側の吸気開口を含み、前記連結用端部は前記第２係合部と係合する第１係合メカニズムを有し、前記第１係合メカニズムは、前記電極に関連する前記着脱式吸引先端部の軸方向位置が前記着脱式吸引先端部の長手方向の軸（Ａ）について及び／又は前記軸（Ａ）に沿った前記着脱式吸引先端部の動きに関連して調整可能となるように、又、前記第１係合メカニズムが前記第二係合メカニズムに着脱可能となるように形成されている着脱式吸引先端部。
【請求項２１】
前記第１係合メカニズムは、前記連結用端部の周方向連結壁の内側に設けられると共に、前記連結用端部の穴の内部に突出している請求項２０に記載の着脱式吸引先端部。
【請求項２２】
前記第１係合メカニズムは、内ねじ、少なくとも１つのビード、１又は２以上の互いに離間した係合要素、又はこれらの組み合わせで構成される群から選ばれる請求項２０に記載の着脱式吸引先端部。
【請求項２３】
前記第１係合メカニズムは、前記第１吸引ポートの近位側で前記手術用器具の長尺本体の第１端に設けられた第２係合メカニズムと係合するように形成されている請求項２０に記載の着脱式吸引先端部。
【請求項２４】
前記第１係合メカニズムは前記第２係合メカニズムとして形成され、又は、前記第２係合メカニズムは前記第１係合メカニズムとして形成されている請求項２０に記載の着脱式吸引先端部。
【請求項２５】
前記着脱式吸引先端部の連結用端部が延びて、前記吸引開口を含む吸引端部となっている請求項２０に記載の着脱式吸引先端部。
【請求項２６】
前記吸引端部の少なくとも一部分は前記吸引開口に向かってテーパ状になっている請求項２０に記載の着脱式吸引先端部。
【請求項２７】
前記着脱式吸引先端部の吸引端部は、管状で非テーパ状の口を有する請求項２０に記載の着脱式吸引先端部。
【請求項２８】
前記着脱式吸引先端部の吸引開口はフレア状のスカート部を有する請求項２０に記載の着脱式吸引先端部。
【請求項２９】
前記着脱式吸引先端部は前記長尺本体の第１端に着脱可能に設けられている請求項２０に記載の着脱式吸引先端部。
【請求項３０】
前記吸引端部の少なくとも先端部は透明である請求項２０に記載の吸引先端部。
【請求項３１】
前記吸引端部の全体が透明である請求項２０に記載の着脱式吸引先端部。
【請求項３２】
前記着脱式吸引先端部の連結用端部は外側触覚部材を有する請求項２０に記載の着脱式吸引先端部。
【請求項３３】
電気手術用器具の長尺本体に関連して着脱式吸引先端部の軸方向位置を調整する方法であって、
電気手術用器具を備えるステップであって、前記電気手術用器具は、電極と、第１端に対向する第２端を有する長尺本体とを含み、前記第１端は前記電極が通る第１開口端を有し、前記第２端は電気医療用電源と吸気電源に連結するように構成し、前記電気医療器具は着脱式吸気先端部を含み、
前記長尺本体は、吸気チャネルと、前記吸気チャネルと流体連通する第１吸気ポートと、長尺本体における対向する第２端にあって真空源と連通する吸気チューブと係合する第２吸気ポートと、前記着脱式吸気先端部とを定義し、
前記着脱式吸気先端部は、吸気端と対向する係合端を有し、前記係合端は第１係合メカニズムを有し、前記長尺本体はさらに前記長尺本体の第１端に備えた第２係合メカニズムを含むステップと、
前記着脱式吸引先端部を通して前記電極を置き、前記着脱式吸引先端部が前記吸気ポートにおける前記吸気チャネル上に位置するように連結用端部を長尺本体の第１端に装着するステップと、
第１吸気メカニズムと第１係合メカニズムに係合した前記着脱式吸気先端部への軸方向の力を適用する、
又は、前記着脱式吸気先端部を第１吸気先端部と第２吸気メカニズムとに係合するように前記着脱式吸気先端部の長手方向に回転させる、
又は、軸方向の力を加えるか前記着脱式吸気先端部を回転させることを組み合わせるステップと、を含む方法。
【請求項３４】
前記吸引開口の軸方向の位置が所望通りとなるまで軸方向の力を加えること又は前記着脱式吸引先端部を回転させることのいずれか一方又は両方を繰り返し行う請求項３３に記載の方法。
【請求項３５】
前記吸引開口の軸方向位置を前記電極に対して調整する請求項３４に記載の方法。
【手続補正２】
【補正対象書類名】明細書
【補正対象項目名】０１４２
【補正方法】変更
【補正の内容】
【０１４２】
本発明は、別々の構成部品を組み合わせて複数の異なる電気手術用器具とする可能性を提供すると共に、優れた吸引特性を有する自分の好きな器具を作成するという従来知られていなかった可能性を外科医に与えることができる。なお、本出願の出願当初の特許請求の範囲の記載は、以下の通りである。
[請求項１]
電気手術用発電機から供給された電気エネルギーを手術部位に印加することにより、手術中に患者の組織を少なくとも切断するための第１手段（３）と、
第１端（７）と、その反対側の第２端（９）とを有し、前記第１端（７）は第１手段が突出する第１開口（１５）を有し、前記第２端（９）は前記電気手術用発電機及び真空源に電気的に接続されるように形成された中空の長尺本体（２）と、
前記手術部位から少なくとも煙を除去するための吸引手段と
を備え、
前記吸引手段が、前記中空の長尺本体（２）の内部に延びる吸引チャネル（２７）と、前記第１手段（３）に対向して配置された第１吸引ポート（４０）と、前記真空源に連通する吸引チューブ（１１）を備えた第２吸引ポート（４１）と、前記中空の長尺本体（２）の第１端（７）の延長上に設けられた吸引先端部（６）とを有する、長尺の電気手術用器具（１）において、
前記吸引先端部（６）は、吸引開口（７７）の反対側に連結用端部（７６）を有し、
前記連結用端部（７６）は、前記中空の長尺本体（２）に設けられた第２係合手段（２５）と係合するための第１係合手段（７８）を有し、
前記第１係合手段（７８）及び前記第２係合手段（２５）は、前記第１手段（３）に対する前記吸引先端部（６）の軸方向位置が前記吸引先端部（６）の長手方向の軸（Ａ）の回りの及び／又は前記軸（Ａ）に沿った前記吸引先端部（６）の動きに応じて調整可能となるように、形成されていることを特徴とする電気手術用器具（１）。
[請求項２]
前記第２係合手段（２５）は、前記第１吸引ポート（４０）の近位側で前記中空の長尺本体（２）の第１端（７）に設けられていることを特徴とする請求項１に記載の電気手術用器具（１）。
[請求項３]
前記第２係合手段（２５）は、前記第１吸引ポート（４０）の近位側で前記中空の長尺本体（２）の第１端（７）に設けられた外ねじか、少なくとも１つのビードか、突起であり、オプションとして、数個の周方向のビード又は突起であることを特徴とする請求項１又は２に記載の電気手術用器具（１）。
［請求項４］
前記第１吸引ポート（４０）は前記第２係合手段（２５）の遠位側かつ前記中空の長尺本体（２）の第１開口（１５）の近位側に位置していることを特徴とする請求項１から３のいずれか１項に記載の電気手術用器具。
［請求項５］
前記第１吸引ポート（４０）は、前記中空の長尺本体（２）の第１開口（１５）よりも前記第２係合手段（２５）に近接して設けられていることを特徴とする請求項１から４のいずれか１項に記載の電気手術用器具（１）。
［請求項６］
前記第２係合手段（２５）は、前記連結用端部（７６）の軸方向の長さの少なくとも半分に相当する軸方向の長さを有することを特徴とする請求項１から５のいずれか１項に記載の電気手術用器具（１）。
［請求項７］
前記第１係合手段（７８）は、前記連結用端部（７６）の周方向連結壁（７９）の内側に設けられると共に、前記連結用端部（７６）の穴（８０）の内部に突出していることを特徴とする請求項１から６のいずれか１項に記載の電気手術用器具（１）。
［請求項８］
前記第１係合手段（７６）は、
内ねじ、
少なくとも１つの環状ビード、
１又は２以上の互いに離間した係合要素、
これらのいずれかの組み合わせ
からなる群から選ばれることを特徴とする請求項１から７のいずれか１項に記載の電気手術用器具（１）。
［請求項９］
前記第１係合手段（７８）は前記第２係合手段（２５）として形成され、前記第２係合手段（２５）は前記第１係合手段（７８）として形成されていることを特徴とする請求項１から７のいずれか１項に記載の電気手術用器具（１）。
［請求項１０］
前記第１係合手段（７８）と前記第２係合手段（２５）との係合は、触覚及び／又は聴覚で感知できることを特徴とする請求項１から９のいずれか１項に記載の電気手術用器具（１）。
［請求項１１］
前記吸引先端部（６）の連結用端部（７６）は、前記吸引開口（７７）を含む吸引端部（８２）内へと延びていることを特徴とする請求項１から１０のいずれか１項に記載の電気手術用器具（１）。
［請求項１２］
前記吸引端部（８２）の少なくとも１部分は前記吸引開口（７７）に向かってテーパ状になっていることを特徴とする請求項１１に記載の電気手術用器具（１）。
［請求項１３］
前記吸引先端部（６）の吸引端部（８２）は、管状で非テーパ状の口（８３）を有することを特徴とする請求項１１又は１２に記載の電気手術用器具（１）。
［請求項１４］
前記吸引先端部（６）の吸引開口（７７）はフレア状のスカート部を有することを特徴とする請求項１から１３のいずれか１項に記載の電気手術用器具（１）。
［請求項１５］
前記中空の長尺本体（２）は、前記吸引先端部（６）が自身を越えて前記中空の長尺本体（２）の第２端（９）の方へと移動するのを止めるためのストップ部材(26)を有することを特徴とする請求項１から１４のいずれか１項に記載の電気手術用器具。
［請求項１６］
前記吸引先端部（６）は前記中空の長尺本体（２）の第１端（７）に着脱可能に設けられていることを特徴とする請求項１から１５のいずれか１項に記載の電気手術用器具（１）。
［請求項１７］
前記吸引端部（８２）の少なくとも先端部（８２，８３）は透明であることを特徴とする請求項１から１６のいずれか１項に記載の電気手術用器具（１）。
［請求項１８］
前記吸引端部（８２）の全体が透明であることを特徴とする請求項１から１７のいずれか１項に記載の電気手術用器具（１）。
［請求項１９］
前記吸引先端部（６）は外側触覚手段を有することを特徴とする請求項１から１８のいずれか１項に記載の電気手術用器具（１）。
［請求項２０］
電気手術用器具（１）に装着できるようになっている吸引先端部（６）であって、
前記電気手術用器具（１）は、
電気手術用発電機から供給された電気エネルギーを手術部位に印加することにより、手術中に患者の組織を少なくとも切断するための第１手段（３）と、
第１端（７）と第２端（９）とを有し、前記第１端（７）は第１手段が突出する第１開口（１５）を有し、前記第２端（９）は前記電気手術用発電機及び真空源に電気的に接続されるように形成された中空の長尺本体（２）と、
前記手術部位から少なくとも煙を除去するための吸引手段と、
を備え、
前記吸引手段は、前記中空の長尺本体（２）の内部に延びる吸引チャネル（２７）と、前記第１手段（３）に対向して配置された第１吸引ポート（４０）と、前記真空源に連通する吸引チューブ（１１）を備えた第２吸引ポート（４１）とを有し、
前記吸引先端部（６）は、前記中空の長尺本体（２）の第１端（７）の延長上に（を延長して）設けられ、前記吸引先端部（６）は、連結用端部（７６）の反対側に吸引開口（７７）を有し、
前記連結用端部（７６）は、前記中空の長尺本体（２）の第１端（７）に設けられた第２係合手段（２５）と係合するための第１係合手段（７８）を有し、
前記第１係合手段（７８）及び前記第２係合手段（２５）は、前記第１手段（３）に対する前記吸引先端部（６）の軸方向位置が前記吸引先端部（６）の長手方向の軸（Ａ）の回りの及び／又は前記軸（Ａ）に沿った前記吸引先端部（６）の動きに応じて調整可能となるように、形成されていることを特徴とする吸引先端部（６）。
［請求項２１］
前記第１係合手段（７８）は、前記連結用端部（７６）の周方向連結壁（７９）の内側に設けられると共に、前記連結用端部（７６）の穴（８０）の内部に突出していることを特徴とする請求項２０に記載の吸引先端部（６）。
［請求項２２］
前記第１係合手段（７６）は、
内ねじ、
少なくとも１つのビード、
１又は２以上の互いに離間した係合要素、
これらの組み合わせ
からなる群から選ばれることを特徴とする請求項２０又は２１に記載の吸引先端部（６）。
［請求項２３］
前記第１係合手段（７８）は、前記第１吸引ポート（４０）の近位側で前記手術用器具（１）の中空の長尺本体（２）の第１端（７）に設けられた第２係合手段（２５）と係合するように形成されていることを特徴とする請求項２０から２２のいずれか１項に記載の吸引先端部（６）。
［請求項２４］
前記第２係合手段（２５）は、前記第１吸引ポート（４０）の近位側で前記中空の長尺本体（２）の第１端（７）に設けられた、外ねじ、複数の周方向のビード、又は突起であることを特徴とする請求項２０から２３のいずれか１項に記載の吸引先端部（６）。
［請求項２５］
前記第１係合手段（７８）は前記第２係合手段（２５）として形成され、又は、前記第２係合手段（２５）は前記第１係合手段（７８）として形成されていることを特徴とする請求項２０から２４のいずれか１項に記載の吸引先端部（６）。
［請求項２６］
前記吸引先端部（６）の連結用端部（７６）が延びて、前記吸引開口（７７）を含む吸引端部（８２）となっていることを特徴とする請求項２０から２５のいずれか１項に記載の吸引先端部（６）。
［請求項２７］
前記吸引端部（８２）の少なくとも一部分は前記吸引開口（７７）に向かってテーパ状になっていることを特徴とする請求項２０から２６のいずれか１項に記載の吸引先端部（６）。
［請求項２８］
前記吸引先端部（６）の吸引端部（７６）は、管状で非テーパ状の口（８３）を有することを特徴とする請求項２０から２７のいずれか１項に記載の吸引先端部（６）。
［請求項２９］
前記吸引先端部（６）の吸引開口（７７）はフレア状のスカート部を有することを特徴とする請求項２０から２８のいずれか１項に記載の吸引先端部（６）。
［請求項３０］
前記吸引先端部（６）は前記中空の長尺本体（２）の第１端（７）に着脱可能に設けられていることを特徴とする請求項２０から２９のいずれか１項に記載の吸引先端部（６）。
［請求項３１］
前記吸引端部（７６）の少なくとも先端部（８２，８３）は透明であることを特徴とする請求項２０から３０のいずれか１項に記載の吸引先端部（６）。
［請求項３２］
前記吸引端部（７６）の全体が透明であることを特徴とする請求項２０から３１のいずれか１項に記載の吸引先端部（６）。
［請求項３３］
前記吸引先端部（６）の連結用端部（７６）は外側触覚手段（８４）を有することを特徴とする請求項２０から３２のいずれか１項に記載の吸引先端部（６）。
［請求項３４］
請求項１から１９のいずれか１項に記載の電気手術用器具（１）の中空の長尺本体（２）に対して請求項２０から３３のいずれか１項に記載の吸引先端部（６）の軸方向位置を調整する方法であって、
前記第１手段（３）を前記吸引先端部（６）の中に通し、前記連結用端部（７６）を前記中空の長尺本体（２）の第１端（７）に装着して前記吸引チャネル（２７）の吸引ポート（４０）を覆う工程を備え、
さらに、
前記第１係合手段（７８）と前記第２係合手段（２５）とを係合させるために前記吸引先端部（６）に軸方向の力を加える工程と、
前記第１係合手段（７８）と前記第２係合手段（２５）とを係合させるために前記吸引先端部（６）を自身の長手方向の軸の回りに回転させる工程と、
軸方向の力を加えること又は前記吸引先端部（６）を回転させることの組み合わせと
のうちの少なくとも１つを備えたことを特徴とする方法。
［請求項３５］
前記吸引開口（７７）の軸方向の位置が所望通りとなるまで軸方向の力を加えること又は前記吸引先端部（６）を回転させることのいずれか一方又は両方を繰り返し行うことを特徴とする請求項３４に記載の方法。
［請求項３６］
前記吸引開口（７７）の軸方向位置を前記第１手段（３）に対して調整することを特徴とする請求項３５に記載の方法。
［請求項３７］
請求項１から３６のいずれか１項に記載の電気手術用器具（１）のためのアセンブリキットであって、
少なくとも、
請求項１から３６のいずれか１項に記載の中空の長尺本体（２）と、
組織の切断及び／又は凝固のための第１手段（３）と、
少なくとも１つの吸引先端部（６）と、
請求項１から３６のいずれか１項に記載の、少なくとも１つの吸引チューブ（１１）と、
前記吸引チューブ（１１）を前記中空の長尺本体（２）の第２端（９）に固定するための少なくとも１つの第１連結部（８）と、
前記吸引チューブ（１１）を電気手術用発電機に接続するための少なくとも１つの第２連結部（１４）と
を備えたことを特徴とするアセンブリキット。